(57)【要約】一実施例においては、転換可能な多目的筆記用具は、クイックユース筆記用具とクイックユース筆記用具を封入するクイックユース・キャップとを有するクイックユース配置を有する。クイックユース配置は、フルサイズ配置に転換可能である。転換可能な多目的筆記用具はまた、フルサイズ配置を有する。フルサイズ配置は、クイックユース配置に転換可能であるフルサイズ筆記用具を有する。
2007518609.tif 000002
【特許請求の範囲】
【請求項１】
転換可能な多目的筆記用具であって、
クイックユース筆記用具と、前記クイックユース筆記用具を封入するクイックユース・キャップとを有し、フルサイズ配置に転換可能である、クイックユース配置、
を有し、
前記フルサイズ配置は、フルサイズの筆記用具を有し、且つ、前記クイックユース配置に転換可能である、
転換可能な多目的筆記用具。
【請求項２】
第１の端部と第２の端部とを有するキャップと、
筆記端部と前記筆記端部に対向する締結端部を有する先端部と、
を有し、
前記キャップは、クイックユース配置を与えることを容易にするよう、少なくとも前記先端部の前記筆記端部を封入するよう動作可能であり、
前記先端部の前記締結端部は、フルサイズ配置を与えることを容易にするよう、前記キャップの前記第１の端部に対して締結可能である、
転換可能な多目的筆記用具。
【請求項３】
栓を更に有し、
前記先端部の前記締結端部は、前記クイックユース配置を与えることを容易にするよう、前記栓に対して締結可能であり、
前記キャップの前記第２の端部は、前記フルサイズ配置を与えることを容易にするよう、前記栓に対して締結可能である、
請求項２記載の転換可能な多目的筆記用具。
【請求項４】
前記先端部の前記締結端部は、雌ねじ山を有し、
前記キャップの前記第１の端部は、雄ねじ山を有し、
前記栓は、雄ねじ山とＯリングとを有し、
前記クイックユース配置を与えることを容易にするよう、
前記先端部の前記締結端部は、前記筆記先端部の前記締結端部の前記雌ねじ山及び前記栓の雄ねじ山を使用して前記栓に対して締結可能であり、また、
前記栓の前記Ｏリングは、前記先端部が前記キャップにおいて封入される際前記キャップにおいて前記先端部を確保するよう動作可能であり、
前記フルサイズ配置を与えることを容易にするよう、
前記先端部の前記締結端部は、前記先端部の前記締結端部の前記雌ねじ山及び前記キャップの雄ねじ山を使用して前記キャップの前記第１の端部に対して締結可能であり、また、
前記キャップの前記第２の端部は、前記栓の前記Ｏリングを使用して前記栓に対して締結可能である、
請求項３記載の転換可能な多目的筆記用具。
【請求項５】
前記栓の前記Ｏリングは、前記先端部が前記キャップにおいて封入される際に周辺シールを与える、
請求項４記載の転換可能な多目的筆記用具
【請求項６】
前記先端部の前記締結端部は、インクカートリッジと、固定スリーブと、前記先端部内で前記インクカートリッジを確保する前記インクカートリッジのブッシングとを受けるよう動作可能である、
請求項４記載の転換可能な多目的筆記用具。
【請求項７】
キーリングホルダを更に有し、
前記キーリングホルダは、前記クイックユース配置を与えることを容易にするよう前記キャップの前記第１の端部に対して締結可能である、
請求項３記載の転換可能な多目的筆記用具。
【請求項８】
前記キーリングホルダは、雌ねじ山を有し、前記キーリングホルダは、前記クイックユース配置を与えることを容易にするよう前記キーリングホルダの前記雌ねじ山及び前記キャップの前記第１の端部の前記雄ねじ山を使用して前記キャップの前記第１の端部に対して締結可能である、
請求項７記載の転換可能な多目的筆記用具。
【請求項９】
前記キーリングホルダは、前記キーリングホルダが前記クイックユース配置を与えるよう前記キャップの前記第１の端部に対して締結される際に周辺シールを与えるＯリングを更に有する、
請求項８記載の転換可能な多目的筆記用具。
【請求項１０】
格納コンテナと、
ツールと、
レーザポインタと、
電子レコーダと、
フラッシュライトと、
のうち１つ又はそれ以上のサブ構成部品を有する、
請求項３記載の転換可能な多目的筆記用具。
【請求項１１】
前記先端部の前記締結端部は、前記クイックユース配置を与えることを容易にするよう、圧縮と、スプリング力と、Ｏリングと、摩擦とのうち１つ又はそれ以上を使用して前記栓に対して締結可能であり、また、
前記先端部の前記締結端部は、圧縮と、スプリング力と、Ｏリングと、摩擦とのうち１つ又はそれ以上を使用して前記キャップの前記第１の端部に対して締結可能であり、前記キャップの前記第２の端部は、前記フルサイズ筆記用具を与えることを容易にするよう、圧縮と、スプリング力と、Ｏリングと、摩擦とのうち１つ又はそれ以上を使用して前記栓に対して締結可能である、
請求項３記載の転換可能な多目的筆記用具。
【請求項１２】
形状と、色と、種類と、機能と、設計とのうち１つ又はそれ以上に関して互いに対して異なる複数のインクカートリッジを収容する、
請求項３記載の転換可能な多目的筆記用具。
【請求項１３】
鉛筆と、フェルトペンと、個人用携帯端末（ＰＤＡ）スタイラスとのうち１つ又はそれ以上を収容する、
請求項３記載の転換可能な多目的筆記用具。
【請求項１４】
前記栓は、前記栓の取扱いを容易にするグリップ面を有する、
請求項３記載の転換可能な多目的筆記用具。
【請求項１５】
前記先端部の前記締結端部は、雌ねじ山を有し；
前記キャップの前記第１の端部は、雄ねじ山を有し；
前記先端部の前記締結端部は、前記フルサイズ配置を与えることを容易にするよう前記先端部の前記締結端部の前記雌ねじ山及び前記キャップの前記第１の端部の前記雄ねじ山を使用して前記キャップの前記第１の端部に対して締結可能である、
請求項２記載の転換可能な多目的筆記用具。
【請求項１６】
前記先端部の前記締結端部は、インクカートリッジと、固定スリーブと、前記先端部内で前記インクカートリッジを確保するインクカートリッジのブッシングとを受けるよう動作可能である、
請求項１５記載の転換可能な多目的筆記用具。
【請求項１７】
キーリングホルダを更に有し、
前記キーリングホルダは、前記クイックユース配置を与えることを容易にするよう前記キャップの前記第１の端部に対して締結可能である、
請求項２記載の転換可能な多目的筆記用具。
【請求項１８】
前記キーリングホルダは、雌ねじ山を有し、前記キーリングホルダは、前記クイックユース配置を与えることを容易にするよう、前記キーリングホルダの前記雌ねじ山及び前記キャップの前記第１の端部の前記雄ねじ山を使用して前記キャップの前記第１の端部に対して締結可能である、
請求項１７記載の転換可能な多目的筆記用具。
【請求項１９】
前記キーリングは、前記キーリングが前記クイックユース配置を与えるよう前記キャップの前記第１の端部に対して締結される際、周辺シールを与えるＯリングを更に有する、
請求項１８記載の転換可能な多目的筆記用具。
【請求項２０】
格納コンテナと、
ツールと、
レーザポインタと、
電子レコーダと、
フラッシュライトと、
のうち１つ又はそれ以上のサブ構成部品を有する、
請求項２記載の転換可能な多目的筆記用具。
【請求項２１】
前記先端部の前記締結端部は、前記フルサイズ配置を与えることを容易にするよう、圧縮と、スプリング力と、Ｏリングと、摩擦とのうち１つ又はそれ以上を使用して前記キャップの前記第１の端部に対して締結可能である、
請求項２記載の転換可能な多目的筆記用具。
【請求項２２】
形状と、色と、種類と、機能と、設計とのうち１つ又はそれ以上に関して互いに対して異なる複数のインクカートリッジを収容する、
請求項２記載の転換可能な多目的筆記用具。
【請求項２３】
鉛筆と、フェルトペンと、個人用携帯端末（ＰＤＡ）スタイラスとのうち１つ又はそれ以上を収容する、
請求項２記載の転換可能な多目的筆記用具。
【請求項２４】
クイックユース筆記用具を有するクイックユース配置を与える手段と、
フルサイズ配置を与える手段と、
を有し、
前記クイックユース配置は、前記フルサイズ配置に対して転換可能なであり、
前記フルサイズ配置は、フルサイズ筆記用具を有し、前記クイックユース配置に対して転換可能である、
転換可能な多目的筆記用具。
【請求項２５】
転換可能な多目的筆記用具に対する方法であって、
クイックユース配置をフルサイズ配置に転換する段階と、
前記フルサイズ配置を前記クイックユース配置に転換する段階と、を有し、
前記クイックユース配置はクイックユース筆記用具を有し、前記フルサイズ配置はフルサイズ筆記用具を有する、
方法。
【請求項２６】
転換可能な多目的筆記用具に対する方法であって、
クイックユース配置を与えることを容易にするよう少なくとも先端部の筆記端部をキャップにおいて封入する段階と、
フルサイズ配置を与えることを容易にするよう前記先端部の締結端部を前記キャップの前記第１の端部に対して締結する段階と、を有し、
前記先端部は、前記筆記端部と、前記筆記端部に対向する締結端部とを有し、前記キャップは、第１の端部と前記第１の端部に対向する第２の端部とを有する、
方法。
【請求項２７】
前記クイックユース配置を与えることを容易にするよう前記先端部の前記締結端部を栓に対して締結する段階と、
前記フルサイズ配置を与えることを容易にするよう前記キャップの前記第２の端部を前記栓に対して締結する段階と、を更に有する、
請求項２６記載の方法。
【請求項２８】
請求項３記載の方法であって、
前記先端部の前記締結端部は、雌ねじ山を有し、
前記キャップの前記第１の端部は、雄ねじ山を有し、
前記栓は、雄ねじ山及びＯリングを有し、
前記クイックユース配置を与えることを容易にするよう、
前記筆記先端部の前記締結端部の前記雌ねじ山及び前記栓の前記雄ねじ山を使用して前記先端部の前記締結端部を前記栓に対して締結する段階と、
前記先端部が前記キャップにおいて封入される際に前記キャップにおいて前記先端部を確保するよう前記栓の前記Ｏリングを使用する段階と、を有し、
前記フルサイズ配置を与えることを容易にするよう、
前記先端部の前記締結端部の前記雌ねじ山及び前記キャップの前記第１の端部の前記雄ねじ山を使用して前記先端部の前記締結端部を前記キャップの前記第１の端部に対して締結する段階と、
前記栓の前記Ｏリングを使用して前記キャップの前記第２の端部を前記栓に対して締結する段階と、を有する、
方法。
【請求項２９】
前記栓の前記Ｏリングは、前記先端部が前記キャップにおいて封入される際に周辺シールを与える、
請求項２８記載の方法。
【請求項３０】
前記先端部の前記締結端部は、インクカートリッジと、固定スリーブと、前記先端部内に前記インクカートリッジを確保する前記インクカートリッジのブッシングとを受けるよう動作可能である、
請求項２８記載の方法。
【請求項３１】
前記クイックユース配置を与えることを容易にするよう前記キャップの前記第１の端部に対してキーリングホルダを締結する段階、を更に有する、
請求項２７記載の方法。
【請求項３２】
前記キーリングホルダは、雌ねじ山を有し、
前記クイックユース配置を与えることを容易にするよう、前記キーリングホルダの前記雌ねじ山及び前記キャップの前記第１の端部の前記雄ねじ山を使用して、前記キーリングホルダを前記キャップの前記第１の端部に対して締結する段階、を更に有する、
請求項３１記載の方法。
【請求項３３】
前記キーリングホルダは、前記キーリングホルダがクイックユース配置を与えるよう前記キャップの前記第１の端部に対して締結される際に周辺シールを与えるＯリングを更に有する、
請求項３２記載の方法。
【請求項３４】
前記転換可能な多目的筆記用具は、
格納コンテナと；
ツールと；
レーザポインタと；
電子レコーダと；
フラッシュライトと；
のうち１つ又はそれ以上のサブ構成部品を有する、
請求項３記載の方法。
【請求項３５】
前記クイックユース配置を与えることを容易にするよう、圧縮と、スプリング力と、Ｏリングと、摩擦とのうち１つ又はそれ以上を使用して前記栓に対して前記先端部の前記締結端部を締結する段階と、
圧縮と、スプリング力と、Ｏリングと、摩擦とのうち１つ又はそれ以上を使用して前記キャップの前記第１の端部に対して前記先端部の前記締結端部を締結する段階と、を有し、前記キャップの前記第２の端部は、前記フルサイズ筆記用具を与えることを容易にするよう、圧縮と、スプリング力と、Ｏリングと、摩擦とのうち１つ又はそれ以上を使用して前記栓に対して締結可能である、
請求項２７記載の方法。
【請求項３６】
前記転換可能な多目的筆記用具は、形状と、色と、種類と、機能と、設計とのうち１つ又はそれ以上に関して互いに対して異なる複数のインクカートリッジを収容する、
請求項２７記載の方法。
【請求項３７】
前記転換可能な多目的筆記用具は、鉛筆と、フェルトペンと、個人用携帯端末（ＰＤＡ）スタイラスとのうち１つ又はそれ以上を収容する、
請求項２７記載の方法。
【請求項３８】
前記栓は、前記栓の取扱いを容易にするグリップ面を有する、
請求項２７記載の方法。
【請求項３９】
前記先端部の前記締結端部は、雌ねじ山を有し、
前記キャップの前記第１の端部は、雄ねじ山を有し、
前記フルサイズ配置を与えることを容易にするよう前記先端部の前記締結端部の前記雌ねじ山及び前記キャップの前記第１の端部の前記雄ねじ山を使用して前記キャップの前記第１の端部に対して前記先端部の前記締結端部を締結する段階を有する、
請求項２６記載の方法。
【請求項４０】
前記先端部の前記締結端部は、インクカートリッジと、固定スリーブと、前記先端部内で前記インクカートリッジを確保するインクカートリッジのブッシングとを受けるよう動作可能である、
請求項３９記載の方法。
【請求項４１】
前記クイックユース配置を与えることを容易にするよう前記キャップの前記第１の端部に対してキーリングホルダを締結する段階、を更に有する、
請求項２６記載の方法。
【請求項４２】
前記キーリングホルダは、雌ねじ山を有し、
前記クイックユース配置を与えることを容易にするよう、前記キーリングホルダの前記雌ねじ山及び前記キャップの前記第１の端部の前記雄ねじ山を使用して前記キャップの前記第１の端部に対して前記キーリングホルダを締結する段階、を有する、
請求項４１記載の方法。
【請求項４３】
前記キーリングホルダは、前記キーリングが前記クイックユース配置を与えるよう前記キャップの前記第１の端部に対して締結される際、周辺シールを与えるＯリングを更に有する、
請求項４２記載の方法。
【請求項４４】
前記転換可能な多目的筆記用具は、
格納コンテナと、
ツールと、
レーザポインタと、
電子レコーダと、
フラッシュライトと、
のうち１つ又はそれ以上のサブ構成部品を有する、
請求項２６記載の方法。
【請求項４５】
前記フルサイズ配置を与えることを容易にするよう、圧縮と、スプリング力と、Ｏリングと、摩擦とのうち１つ又はそれ以上を使用して前記キャップの前記第１の端部に対して前記先端部の前記締結端部を締結する段階、を有する、
請求項２６記載の方法。
【請求項４６】
前記転換可能な多目的筆記用具は、形状と、色と、種類と、機能と、設計とのうち１つ又はそれ以上に関して互いに対して異なる複数のインクカートリッジを収容する、
請求項２６記載の方法。
【請求項４７】
前記転換可能な多目的筆記用具は、鉛筆と、フェルトペンと、個人用携帯端末（ＰＤＡ）スタイラスとのうち１つ又はそれ以上を収容する、
請求項２６記載の方法。
【発明の詳細な説明】
【技術分野】
【０００１】
本発明は、全般的に筆記用具に係り、より特には転換可能な（ｃｏｎｖｅｒｔｉｂｌｅ）多目的筆記用具に係る。
【背景技術】
【０００２】
小型／携帯用ペンは、典型的には、非常に短い筆記ペンを有し、書くために使用可能になる前に複数回の操作を必要とし、及び／又は、拡大アンテナのように見えるテレスコープ管状部等の所望されない機構あるいはフルサイズのペンが小型ペンから転換された明らかな痕跡（締め具の露出部分等）有するフルサイズ・ペンに転換する。典型的なフルサイズ・ペンは、人が頻繁に有するキーリング又は他の対象に対して典型的に取り付けられないため、必要とされる際にユーザが有していない、という不利点を有する。
【発明の開示】
【発明が解決しようとする課題】
【０００３】
本発明によれば、筆記用具に関連する不利点及び課題は、低減又は排除され得る。
【課題を解決するための手段】
【０００４】
一実施例では、転換可能な多目的筆記用具は、クイックユース（すぐに使える）（ｑｕｉｃｋ−ｕｓｅ）筆記用具とクイックユース筆記用具を封入するクイックユースのキャップとを有するクイックユース配置を有する。該クイックユース配置は、フルサイズ配置に転換可能である。転換可能な多目的筆記用具はまた、フルサイズ配置を有する。フルサイズ配置は、クイックユース配置に転換可能であるフルサイズ筆記用具を有する。
【０００５】
本発明の特定の実施例は、１つ又はそれ以上の技術的利点を与え得る。一例として、特定の実施例は、キーチェーンから下げ得る１つの小型パッケージにおいて（集合的に「ペンシステム」と称され得る）２つの筆記用具を与える。これら２つの筆記用具のうち一方は、チェックを書く又はメモや電話番号を書き留める等の迅速なタスクに対して必要とされる際に、容易に使用可能であるクイックユース・ペンであり得る。このクイックユース・ペンは、典型的なペン用途に対して使用され得るフルサイズ・ペンに容易に転換され得る。特定の実施例では、ペンシステムは、長手方向の小型状態においてキーチェーン上で適切に適合する。人は典型的には常にではなくても大概は鍵を有しているため、当該ペンシステムは、人が必要なときに筆記用具を有していないという結果に遭遇する１つ又はそれ以上の問題を解決し得る。
【０００６】
特定の実施例では、ペンシステムは、クイックユースに対して容易に使用可能であるクイックユース・ペンを与える。該ペンは、クイックユース・ペンをそのキャップから引っ張り、使用後はキャップに該ペンを戻す以外の操作を必要としない、特定の実施例は、１つの小型のパッケージ内に２本のペン、即ちクイックユース・ペン及びフルサイズ・ペン（転換後）を与える。特定の実施例では、クイックユース・ペンは、非折畳み式のフルサイズ・ペンの機構、外観、及び感触を有するフルサイズ・ペンに転換する。特定の実施例では、クイックユース・ペンを受けて、筆記用具の使用は、複数の又は面倒な操作を必要としない。
【０００７】
特定の実施例では、該ペンシステムは、通常のペン機構を有するフルサイズ・ペンに転換可能である折畳み式の小型ペンを与える。特定の実施例では、ユーザは、該ペンシステムをガジェットとして楽しみ得る。ユーザは、該ペンシステムをクイックユース・ペンからフルサイズ・ペンに、及びその逆に転換する方法を知り得、他の人は該ペンシステムをクイックユース・ペンからフルサイズ・ペンに、及びその逆に転換することに不慣れであり得る。特定の実施例では、ペンシステムは、異なる種類の仕上げの材料及び色を使用して製造され得、ユーザは、複数のペンシステムを所有し、複数の仕上げを有するユニークな外観のペンを作るよう部品を入れ替えることができる。これらの実施例は、ユーザが個人的利用のために１つより多いペンを購入することを促進し得るという、マーケティング上の利点を与え得る。特定の実施例では、ペンシステムは、標準寸法のミニインクカートリッジを収容し得る。これらの実施例は、カスタム寸法のインクカートリッジを該ペンシステム用に開発する必要がないため、製造に関連するコストを低減し得る。特定の実施例では、ペンシステムはまた、標準寸法のインクカートリッジより小さい又は大きい非標準寸法を有するインクカートリッジを受容し得る。特定の実施例では、ペンシステムは、標準寸法の加圧型インクリフィルを使用し得る。該リフィルは、（多種の環境条件での筆記及び上下逆での筆記を可能にし得、）ペンシステムの異なる応用に対して適切である。
【０００８】
特定の実施例では、ペンシステムによってユーザは、極限又は特異な状況及び位置においてフルサイズの標準的なペンを有し得る。特定の実施例では、該ペンシステムは、小型の、環境に対して耐久性のあるエンクロージャへと折り畳まれ、ユーザは、保護筐体が無く密封されていないペンが損傷を受ける極限的な環境条件に持ち込み得る。フルサイズ・ペン、クイックユース・ペン、又はその両方は、ユーザの目的において、又はユーザの目的に至る途中に必要とされ得る。特定の実施例では、該ペンシステムは、ライフガード、及び海洋環境において働く人によって有され得る。特定の実施例では、ペンシステムは、ユーザが自転車に乗っている際又は走っている際のポケットの中等であるフルサイズ・ペンが必要とされ得るが持ち運びが面倒である場所に、小型状態で移動し得る。ユーザは、周辺シールされたペンシステムを望み得る。該密封されたペンシステムは、小型であり、キャンプ又は他の種類の旅行に対して耐久性があり、幅広い筆記、野外でのメモ、又は日記書きに対して使用され得るフルサイズ・ペンを与える。特定の実施例では、ペンシステムは、単純な機械的構成部品及び設計を有し得る。該システムは、ペンシステムの製造に関連付けられたコストを低減し得、操作が容易であり、見た目が美しく、故障が略なく、耐久性のあるペンシステムを与え得る。
【０００９】
一定の実施例は、これらの技術的利点を全て又は複数与え得るか、１つも与えない。一定の実施例は、１つ又はそれ以上の他の技術的利点を有し得、該１つ又はそれ以上の利点は、図面、詳細、及び請求項より当業者には容易に明らかであり得る。
【発明を実施するための最良の形態】
【００１０】
本発明、並びにその特徴及び利点のより完全な理解を与えるよう、添付の図面とともに以下の説明が参照される。
【００１１】
図１は、折り畳まれた状態１１における筆記用具を図示する。該筆記用具は、例えばキーチェーンにおいて折り畳まれた状態１１であり得る。端面図２４は、一端からの筆記用具を示す。図２は、キャップ１２からはずされた筆記用具のクイックユース・ペンを図示する。特定の実施例では、キャップ１２は、キーチェーンに対して取り付けられ得る。キャップ１２は、クイックユース・ペン１３がキャップ１２からはずされる際、キーチェーンに対して取り付けられたまま残り得る。図３は、筆記用具の４つの構成部品を図示する。管状容器１６は、２つのサブ構成部品を有し得る。
【００１２】
図４は、図３中に示された３つの構成部品からの筆記用具のフルサイズ・ペン２８の組立体を図示する。３つの構成部品は、３つの構成部品からフルサイズ・ペン２８を組み立てるよう再配置及び整列される。図５は、組み立てられたフルサイズ・ペン２８を示す。図６は、折り畳まれた状態１１における筆記用具の断面を示す。図７は、キャップ１２からはずされたクイックユース・ペン１８の断面を示す。図８は、筆記用具のキーリングのホルダ１４及び管状容器１６の断面を示す。図９は、筆記用具のペン先２０及び端部栓２２の断面を示す。図１０は、筆記用具のペン先２０からはずされたインクカートリッジ２６の断面を示す。図１１は、組み立てられたフルサイズ・ペン２８の断面を示す。
【００１３】
キーリングのホルダ１４は、管状容器１６の雄ねじ山３６を受けるよう雌ねじ山ホール３０を有する。キーリングのホルダ１４はまた、キーリングのホルダ１４をキーリング又は他の装置に対して取り付けるよう使用され得るスルーホール３２を有する。
【００１４】
管状容器１６は、一端上で、雄ねじ山３６及びテイパされたスルーホール３８を有する。他端上では、管状容器１６は、挿入される際ペン先管２０のテイパされた端部５０を受けるよう管状開口３９を有する。管状開口３９の内部は、端部栓２２が取付けに対して管状開口３９を介して管状容器１６へと挿入される際、端部栓２２上にＯリング４０を有するＯリングシールに対する円周溝３４を有する。
【００１５】
固定スリーブ４４は、ペン先５６がインクカートリッジ２６に対して適切な露呈を有して露出され得る位置において、インクカートリッジ２６上に取り付けられる。接着剤は、インクカートリッジ２６上の位置において固定スリーブ４４を保持し得る。Ｏリング・ブッシング４２は、固定スリーブ４４に隣接する又はスリーブ４４の後背のインクカートリッジ２６上へと滑り込み得る。固定スリーブ４４では、雄ねじ山４６を有する端部栓２２の端部は、それを僅かに圧縮し、正しい位置においてインクカートリッジ２６を保持するよう力を加える。固定スリーブ４４の上方のインクカートリッジ２６上のＯリングは、インクカートリッジ２６を適所に保持するよう役立ち得、また、少なくともなんらかのたわみ（ｇｉｖｅ）又は調整能力を有し得て製造中に許容差を変える得る一方、インクカートリッジ２６を依然として適所において保持するよう役立ち得る。このＯリングはまた、筆記する際、少なくとも少量のクッションをペン先５６に与え得る。
【００１６】
ペン先管２０は、一端上に雌ねじ山ホール４８を有する。雌ねじ山ホール４８の内部上で、インクカートリッジ２６上に取り付けられたスリーブホール５４は、固定スリーブ４４を受ける。スルーホール４２は、全体部分を突き通る。テイパされた端部５０は、他端部上にある。
【００１７】
端部栓２２は、雄ねじ山４６を有する。端部栓２２はまた、Ｏリング溝４１及びＯリング４０を有する。Ｏリング４０は、クイックユース・ペン１３が管状容器１６へと挿入される際に、円周溝３４と一致し、管状容器１６に対して端部栓２２を密封して取り付ける。
【００１８】
Ｏリング４０は、クイックユース・ペン１３として配置される際、端部栓２２をペン先管２０に対して固定し得る。Ｏリング４０はまた、フルサイズ・ペン２８として配置される際、端部栓２２を管状容器１６に対して固定し得る。Ｏリング４０はまた、折り畳まれた状態１１にある際、端部栓２２において周辺シールを与え得る。
【００１９】
前述の構成部品は、少なくとも４つの構成、（１）図６中に示される閉じられたペン１１、（２）図７中に示されるペンキャップ１２、（３）図７中に示されるクイックユース・ペン１３、及び（４）図１１中に示されるフルサイズ・ペン２８、に組み立てられ得る。
【００２０】
閉じられたペン１１は、クイックユース・ペン１３が所望されるまでペンシステムの状態である。特定の実施例では、クイックユース・ペン１３は、続いて、使用にあたってペンキャップ１２から容易に引き出され得、その後使用後には該ペンを手で押すことによってペンキャップ１２へと容易に挿入し戻され得る。
【００２１】
特定の実施例では、フルサイズ・ペン２８が所望される際、（１）クイックユース・ペン１３は、ペンキャップ１２から栓を抜かれ得、（２）ペンキャップ１２は、キーリングホルダ１４から管状容器１６をねじってはずすことによって分解され得、（３）端部栓２２は、ペン先管２０において残るインクカートリッジ２６を有してペン先管２０からねじってはずされ得、（４）雄ねじ山３６を有する管状容器１６の端部は、雌ねじ山ホール４８を有してペン先管２０の端部へとねじ込まれ得、及び、（５）端部栓２２の雄ねじ山端部４６は、Ｏリングが周辺溝３４に付き、２つの部品が取り付けられるまで、管状容器１６の管状開口３９へと差し込まれ得る。使用後、又はクイックユース・ペン１３又は閉じられたペン１１構造が所望される際、これらの段階は、逆行され得る（栓を抜かれて差し込まれ切り替えられ得、ねじってはずされてねじ込まれ切り替えられる）（plugged switched with unplugged and screwed switched with unscrewed）。インクカートリッジ２６が取替えを必要とする際、インクカートリッジ２６は、ペン先管２０から引き出され、取替えインクカートリッジ２６（固定スリーブ４４を有する）が挿入される。
【００２２】
特定の筆記用具が図示及び説明されるが、本発明は、多種の筆記用具を意図し、その内の少なくとも複数が以下に説明される。
【００２３】
他の実施例は、より短いペンのコンセプトを使用する。該短いペンは、そのキャップにおいて格納され、該キャップが実際にキャップとして機能しているか否かに関係なくより大きいペンに転換するようキャップを使用する。また、ペンが２つより多い異なる寸法又は状態へと転換する一実施例がある。
【００２４】
ペンは、１つ又はそれ以上の異なる寸法状態を有し得、また、追加的な機能を有し得る。該追加的な機能では、該ペンは、格納コンテナ（即ちマッチ、紙、又は薬用）、筆記用具及びツール（即ちナイフ、スクリュードライバ、レンチ、千枚通し）、レーザポインタ、電子機器（即ちレコーダ）、フラッシュライト（ＬＥＤ又は白熱灯）等に転換し得るか、あるいは、制限はされないがこれらを有するサブ構成部品となり得る。クイックユース・ペンは、クイックユース・フラッシュライトになり得、また、ペンに転換され得る。反転されるクイックユース・ペン、あるいは、クイックユース・ポインタ（レーザ又はテレスコピック）又は他のペン転換を有する又は有さないフラッシュライトに容易に転換されるクイックユース・ペンがあり得る。
【００２５】
異なる材料、寸法、及び相互接続は、全ての構成部品及び部分に対して使用され得る。材料は、製造上の経済状況、材料の使用可能性、新しく開発された又は使用可能である材料、重量低減、強度及び耐久性、並びに外観等の異なる結果に対して変化する。
【００２６】
キーリングホルダ１４は、キーリング又は他のものに対して使用される必要はない。該部分のホールは、取り除かれ得る。あるいは、該ホールは、ペンをネックレス、紐、鞄又はバックパックのループ、簡易着脱機構、又は他の対象に対して取り付けるよう使用される乾燥状態のままにされ得る（ｌｅｆｔ  ｉｎ  ａｒｉｄ）。キーリングホルダ１４の形状は、キーリングに取る空間を低減しキーリングの取り外しを容易にするスルーホールを有する端部上での平らな部分を含む多種の形状に変化し得る。スプリング仕掛け又は他の簡易着脱機構は、キーチェーンと連結するようキーリングホルダ１４と一体化され得る。
【００２７】
端部栓２２は、Ｏリング４０シールに加えてねじ山と接続し得るか、あるいは、Ｏリングシールは無くねじ山のみと接続し得る。他のねじ接続はまた、Ｏリング又は他の種類のブッシングを有し得る。該シールは、所望されない際にねじ山の弛緩の機会を低減するよう止めワッシャとしての役割を果たし、また、周辺シールとしての役割を果たす。
【００２８】
管状容器１６はまた、端部栓２２及び周辺溝３４のないペン先に対し取り付けられ得る。クイックユース・ペン１３は、Ｏリングに加えたねじ山を有する、Ｏリング無しでねじ山を有する、あるいは１つより多いＯリング及び周辺溝（又は１つの溝を有するか、溝を有さない）閉じられたペン１１の位置にある際、ペンキャップ１２に対して取り付け得る。
【００２９】
全ての接続は、ねじ接続及びＯリングシールの代わりに簡易着脱又は他の種類の接続を使用し得る。これらの接続は、圧縮、スプリング力及び／又は摩擦に依存し得る。
【００３０】
ペンシステムは、鉛筆、フェルトペン、及びＰＤＡ（個人用携帯端末）スタイラスを制限されないが有する可変の形状、色、種類、機能、及び設計である多くの異なるインクカートリッジを収容するよう改善され得る。
【００３１】
インクカートリッジを適所に保持する方法は、Ｏリング・ブッシングの無い寸法に対して適合された固定スリーブ３３を使用し得、材料は僅かに圧縮力がある。固定スリーブ４４は、接着剤の代わりに圧縮適合を有してインクカートリッジに対して適合され得る。これは、固定スリーブ３３の内部寸法がインクカートリッジの外径より僅かに小さいことを要求する。
【００３２】
本発明のペン（ｍｙ  ｐｅｎ）の管状部分の長さは、より短く又はより長くされ得、結果として異なる用途を収容するよう折り畳まれたペン１１、より短い又はより長いクイックユース・ペン１３、及びフルサイズ・ペン２８をもたらす。これに関連する本発明の設計（ｍｙ  ｄｅｓｉｇｎ）からの他の利点は、折り畳まれたペン１１の長さがある量分増加する際、フルサイズ・ペン２８の長さがその量の２倍増加し、フルサイズ・ペン２８の長さ及び折り畳まれたペン１１の小型性を最適化するよう助ける、ことである。
【００３３】
ペンの装飾上の設計は、異なるパターン、可変の面及び半径、並びに、異なる色、材料、溝、グリップ及び仕上げを有して変化し得る。
【００３４】
ポケットクリップは、端部栓２２に対して取り付けられ得、クイックユース・ペン１３、フルサイズ・ペン２８、及び閉じられたペン１１のいずれにも働く。ポケットクリップは、常在であるか又は除去可能であり得る。
【００３５】
ペンは、異なる形式を収容するよう、また、異なる寸法のインクカートリッジを使用するよう、異なる内径及び外径において作られ得る。あるいは、管状部の外径のみが、同一のまま残り、内径が変えられ得る。
【００３６】
ペン先管２０のテイパされた端部５０は、ペン先管２０の残りの部分から離された一部分であり得る。２つの別個の部分を有することは、インクカートリッジ２６を取り替える異なる方法を収容すること、ペンが他の製造者によって作られた構成部品（テイパされた先等）を使用し得ること、典型的なペンに更に類似する異なる外観を作り出すこと、システムを分解して新しいガジェットを再構築することを楽しむユーザに所望され得る他の部分を作り出すこと、及び、ユーザが構成部品を異なる材料で作られた又は異なる仕上げを有するペンシステムの他のバージョンと切り替え、異なるペン又はユーザにとってより興味深いペンを作り出し得ること、に対して使用され得る。テイパされた先端部は、ねじ山を有して、あるいは、他の種類の締め具機構、圧縮、又は接着剤を有して、管状部分に対して接続し得る。２つの部分に対する必要性はまた、製造工程におけるコストを削減し得、また、ペン先管２０のテイパされていない部分に対して管ストック材料を使用することによって自分のペンの重量を低減し得る可能性がある。
【００３７】
管状容器１６は、別個の管、及び雄ねじ山３６とテイパされたホールとを有する挿入部分である２つの部分から製造され得る。該挿入部は、ねじ、接着剤、圧縮、又は他の方法を有して留められ得る。
【００３８】
クイックユース・ペンは、フルサイズ・ペン２８に転換するオプション無く、キャップ及びキーリングホルダ１４を有して作られ得、使用され得る。
【００３９】
ペン上の仕上げの色は、インクカートリッジの色に対応し得る。ペン全体は、色を変え得るか、その一部分のみを変え得る。ユーザは、インクカートリッジに合致する新しいペン先又は端部栓を購入し得るか、あるいは、標準色のペンは、インクの色に対応する有色先端部又は他の部分を有し得る。ペンの仕上げの色は、有色の陽極化（ｃｏｌｏｒｅｄ  ａｎｏｄｉｚｅｓ）、酸化方法、色の焼成の種類、塗料、又は他の方法を有して作られ得る。
【００４０】
特定の実施例では、キーリングホルダ１４は、管状容器１６の雄ねじ山３６がキーリングホルダ１４へとねじ込まれる際に密封を形成するようＯリングを受ける周辺Ｏリング溝を有する。これは、ペンがフルサイズ状態にある際にインクカートリッジ２６を貫通させ得る雄ねじ山３６における穴を密封し得る。また、折り畳まれた状態１１において他のＯリングシールを形成するため、全体のユニットが完全に密封される。キーリングホルダ１４は、折り畳まれた状態１１にある際、筆記用具の端部のキーリングホルダ１４を密封し得る。このＯリングはまた、不注意に弛緩することから雄ねじ山を保持し得る。
【００４１】
特定の実施例では、端部栓２２は、クイックユース・ペンに対して取り付けられる際、又はフルサイズ・ペン上で端部栓２２として作用する際、端部栓２２がより容易に引き出され得るよう、放射状の溝又はリッジ、あるいは他の種類のグリップ面（例えばゴムであり得る）を有する。
【００４２】
特定の実施例では、転換可能な多目的筆記用具は、管状容器１６及びペン先２０を有し、別個の先端部２２を有さない。これらの実施例では、端部栓２２の１つ又はそれ以上の面は、管状容器１６、ペン先２０、あるいはそのいずれにも組み込まれ得る。制限的ではなく一例として、ペン先２０は、雌ねじ山ホール４８の無いペン先２０の筆記端部と対向する閉じた端部を有し得る。加えて、ペン先２０は、端部栓２２のＯリング４０に対して類似した機能を与えるＯリングを有し得る。
【００４３】
本発明は複数の実施例を有して説明されてきたが、無数の変更、変化、修正、変形、及び改良は、当業者に対して提案され得、また、本発明は、かかる変更、変化、修正、変形、及び改良が添付の請求項の範囲内である、ことが意図される。本発明は、請求項において反映されない明細書中の記載によって多少なりとも制限されるよう意図されない。
【図面の簡単な説明】
【００４４】
【図１】折り畳まれた状態における筆記用具を図示する。
【図２】キャップからはずされた筆記用具のクイックユース・ペンを図示する。
【図３】筆記用具の４つの構成部品を図示する。
【図４】３つの構成部品からの筆記用具のフルサイズ・ペンの組立体を図示する。
【図５】組み立てられたフルサイズ・ペンを図示する。
【図６】折り畳まれた状態における筆記用具の断面を図示する。
【図７】キャップからはずされたクイックユース・ペンの断面を図示する。
【図８】筆記用具のキーリングホルダ及び管状容器の断面を図示する。
【図９】筆記用具のペン先及び端部栓の断面を図示する。
【図１０】筆記用具のペン先からはずされたインクカートリッジの断面を図示する。
【図１１】組み立てられたフルサイズ・ペンの断面を図示する。
【図１】
2007518609.tif 000003
【図２】
2007518609.tif 000004
【図３】
2007518609.tif 000005
【図４】
2007518609.tif 000006
【図５】
2007518609.tif 000007
【図６】
2007518609.tif 000008
【図７】
2007518609.tif 000009
【図８】
2007518609.tif 000010
【図９】
2007518609.tif 000011
【図１０】
2007518609.tif 000012
【図１１】
2007518609.tif 000013
【手続補正書】
【提出日】平成18年11月7日(2006.11.7)
【手続補正１】
【補正対象書類名】特許請求の範囲
【補正対象項目名】請求項２８
【補正方法】変更
【補正の内容】
【請求項２８】
請求項２７記載の方法であって、
前記先端部の前記締結端部は、雌ねじ山を有し、
前記キャップの前記第１の端部は、雄ねじ山を有し、
前記栓は、雄ねじ山及びＯリングを有し、
前記クイックユース配置を与えることを容易にするよう、
前記筆記先端部の前記締結端部の前記雌ねじ山及び前記栓の前記雄ねじ山を使用して前記先端部の前記締結端部を前記栓に対して締結する段階と、
前記先端部が前記キャップにおいて封入される際に前記キャップにおいて前記先端部を確保するよう前記栓の前記Ｏリングを使用する段階と、を有し、
前記フルサイズ配置を与えることを容易にするよう、
前記先端部の前記締結端部の前記雌ねじ山及び前記キャップの前記第１の端部の前記雄ねじ山を使用して前記先端部の前記締結端部を前記キャップの前記第１の端部に対して締結する段階と、
前記栓の前記Ｏリングを使用して前記キャップの前記第２の端部を前記栓に対して締結する段階と、を有する、
方法。
【手続補正２】
【補正対象書類名】特許請求の範囲
【補正対象項目名】請求項３４
【補正方法】変更
【補正の内容】
【請求項３４】
前記転換可能な多目的筆記用具は、
格納コンテナと；
ツールと；
レーザポインタと；
電子レコーダと；
フラッシュライトと；
のうち１つ又はそれ以上のサブ構成部品を有する、
請求項２７記載の方法。
【手続補正３】
【補正対象書類名】明細書
【補正対象項目名】０００９
【補正方法】変更
【補正の内容】
【０００９】
特定の実施例は、これらの技術的利点のうち全て又は複数を与え得る。特定の実施例は、１つ又はそれ以上の他の技術的利点を有し得、該１つ又はそれ以上の利点は、図面、詳細、及び請求項より当業者には容易に明らかであり得る。
【手続補正４】
【補正対象書類名】明細書
【補正対象項目名】００２１
【補正方法】変更
【補正の内容】
【００２１】
特定の実施例では、フルサイズ・ペン２８が所望される際、（１）クイックユース・ペン１３は、ペンキャップ１２から引き抜かれ得、（２）ペンキャップ１２は、キーリングホルダ１４から管状容器１６をねじってはずすことによって分解され得、（３）端部栓２２は、ペン先管２０において残るインクカートリッジ２６を有してペン先管２０からねじってはずされ得、（４）雄ねじ山３６を有する管状容器１６の端部は、雌ねじ山ホール４８を有してペン先管２０の端部へとねじ込まれ得、及び、（５）端部栓２２の雄ねじ山端部４６は、Ｏリングが周辺溝３４に付き、２つの部品が取り付けられるまで、管状容器１６の管状開口３９へと差し込まれ得る。使用後、又はクイックユース・ペン１３又は閉じられたペン１１構造が所望される際、これらの段階は、逆行され得る（引き抜かれて切り替えられ差し込まれる、及び、はずされて切り替えられてねじ込まれる）（plugged  switched  with  unplugged  and  screwed switched  with  unscrewed）。インクカートリッジ２６が取替えを必要とする際、インクカートリッジ２６は、ペン先管２０から引き出され、取替えインクカートリッジ２６（固定スリーブ４４を有する）が挿入される。
【手続補正５】
【補正対象書類名】明細書
【補正対象項目名】００２６
【補正方法】変更
【補正の内容】
【００２６】
キーリングホルダ１４は、キーリング又は他のものに対して使用される必要はない。該部分のホールは、取り除かれ得る。あるいは、該ホールは、残されて、ペンをネックレス、紐、鞄又はバックパックのループ、簡易着脱機構、又は他の対象に対して取り付けるよう使用され得る。キーリングホルダ１４の形状は、キーリングに取る空間を低減しキーリングの取り外しを容易にするスルーホールを有する端部上での平らな部分を含む多種の形状に変化し得る。スプリング仕掛け又は他の簡易着脱機構は、キーチェーンと連結するようキーリングホルダ１４と一体化され得る。
【手続補正６】
【補正対象書類名】明細書
【補正対象項目名】００３２
【補正方法】変更
【補正の内容】
【００３２】
本発明のペンの管状部分の長さは、より短く又はより長くされ得、結果として異なる用途を収容するよう折り畳まれたペン１１、より短い又はより長いクイックユース・ペン１３、及びフルサイズ・ペン２８をもたらす。これに関連する本発明の設計からの他の利点は、折り畳まれたペン１１の長さがある量分増加する際、フルサイズ・ペン２８の長さがその量の２倍増加し、フルサイズ・ペン２８の長さ及び折り畳まれたペン１１の小型性を最適化するよう助ける、ことである。
【国際調査報告】
2007518609.tif 000014
2007518609.tif 000015
2007518609.tif 000016